(57)【要約】【課題】スムーズなチャンネル切り換えを行うテレビ１を提供する。【解決手段】実施の形態のテレビ１は、視聴用映像または選局用映像を選択する選択部２２と、視聴対象チャンネルのデジタル放送を受信し視聴用映像を出力するための第１のチューナ１１と、所定の選局対象チャンネルのデジタル放送を受信し、選局用映像を出力するための第２のチューナ１２〜１９と、選局モードを通常選局モードまたは高速選局モードに切り換える選局モード切換部２６と、アップダウンボタン３Ｂからの指示にもとづき、選局モード切換部２６等を制御する選局制御部２５とを具備し、アップダウンボタン３Ｂが連続押圧操作されたときに通常選局モードから高速選局モードに切り換えし、押圧操作が解除されたときに、選局されたチャンネルの視聴用映像の出力後に、通常選局モードに切り換える。【選択図】図３
2012015763.tif 000002
【特許請求の範囲】
【請求項１】
表示手段に表示する映像として、視聴用映像または前記視聴用映像を選択するための選局用映像のいずれかを選択する選択手段と、
選択された視聴対象チャンネルのデジタル放送を受信し、前記視聴用映像を出力するための第１のチューナと、
それぞれが所定の選局対象チャンネルのデジタル放送を受信し、前記選局用映像を出力するための複数の第２のチューナと、
前記視聴対象チャンネルを選択するモードを、前記視聴用映像をもとに選局する通常選局モード、または、前記選局用映像をもとに選局する高速選局モード、のいずれかのモードに、切り換える選局モード切換手段と、
前記視聴対象チャンネルをアップ／ダウン選局するためのアップダウンボタンからの指示にもとづき、前記第１のチューナと前記複数の第２のチューナと、前記選局モード切換手段と、前記選択手段と、を制御する選局制御手段とを具備し、
前記アップダウンボタンが、第１の時間、連続して押圧操作されたときに、前記通常選局モードから前記高速選局モードに切り換えし、前記押圧操作が解除されたときに、選局されたチャンネルの前記視聴用映像の出力後に、前記通常選局モードに切り換えるように、前記選局制御手段が前記選局モード切換手段を制御することを特徴とする放送受信装置。
【請求項２】
前記選局制御手段が、前記押圧操作が解除されたときに、第２の時間経過後に、前記第１のチューナが、選局されたチャンネルのデジタル放送を受信開始するように制御することを特徴とする請求項１に記載の放送受信装置。
【請求項３】
前記選局制御手段が、前記第１のチューナが、前記選局されたチャンネルのデジタル放送を受信開始後、第３の時間経過後に、前記通常選局モードに切り換えるように、前記選局モード切換手段を制御し、
前記表示手段に表示される映像が、前記選局用映像から、前記選局用映像と同じチャンネルの前記視聴用映像に、直接、切り換わることを特徴とする請求項１または請求項２に記載の放送受信装置。
【請求項４】
前記所定の選局対象チャンネルが地上デジタルテレビ放送の全てのチャンネルであり、前記全てのチャンネルの数の前記第２のチューナを具備することを特徴とする請求項１から請求項３のいずれか１項に記載の放送受信装置。
【請求項５】
視聴対象チャンネルのデジタル放送を受信し、視聴用映像を出力するための第１のチューナにより表示手段に表示された前記視聴用映像をもとに選局する通常選局モードから、それぞれが所定の選局対象チャンネルのデジタル放送を受信し、選局用映像を出力するための複数の第２のチューナにより前記表示手段に表示された前記選局用映像をもとに選局する高速選局モードに、前記視聴対象チャンネルをアップ／ダウン選局するためのアップダウンボタンが、第１の時間、連続して押圧操作されたときに、切り換える第１の選局モード切換工程と、
前記押圧操作が解除されたときに、選局されたチャンネルの前記視聴用映像の出力後に、前記通常選局モードに切り換える第２の選局モード切換工程と、を具備することを特徴とする放送受信装置の制御方法。
【請求項６】
前記第２の選局モード切換工程において、前記押圧操作が解除されたときに、第２の時間経過後に、前記第１のチューナが、前記選択されたチャンネルのデジタル放送を受信開始するように制御することを特徴とする請求項５に記載の放送受信装置の制御方法。
【請求項７】
前記第２の選局モード切換工程において、前記第１のチューナが、前記選局されたチャンネルのデジタル放送を受信開始後、第３の時間経過後に、前記通常選局モードに切り換えるように制御され、
前記表示手段に表示される映像が、前記選局用映像から、前記選局用映像と同じチャンネルの前記視聴用映像に、直接、切り換わることを特徴とする請求項５または請求項６に記載の放送受信装置の制御方法。
【請求項８】
前記所定の選局対象チャンネルが地上デジタルテレビ放送の全てのチャンネルであり、前記全てのチャンネルの数の前記第２のチューナを具備することを特徴とする請求項５から請求項７のいずれか１項に記載の放送受信装置の制御方法。
【発明の詳細な説明】
【技術分野】
【０００１】
本発明の実施の形態は、デジタル放送を受信し映像を表示部に表示する放送受信装置およびデジタル放送を受信し映像を表示部に表示する放送受信装置の制御方法に関する。
【背景技術】
【０００２】
テレビジョン放送（以下「テレビ放送」という）のデジタル化が進んでいる。デジタル放送は複雑なデコード処理等の信号処理が必要である。このために、チューナが放送信号を受信開始してから映像信号が表示部に出力するまでに要する時間は、アナログ放送信号に比べて長くなる。このため、デジタル放送を受信するテレビジョン受信装置（以下「テレビ」という）には、チャンネルが切り換えられてから表示部に新しいチャンネルの映像が表示されるまでの時間を短縮することが要求されている。
【０００３】
例えば、２つのチューナを備えたテレビでは、２つの異なるチャンネルの放送信号を同時に受信し信号処理しておくことにより、一方のチャンネルを視聴中に、他方のチャンネルに切り換えがあった場合には、表示部に新しいチャンネルの映像が比較的早く表示できる。
【先行技術文献】
【特許文献】
【０００４】
【特許文献１】特開２００８−１９９２２４号公報
【発明の概要】
【発明が解決しようとする課題】
【０００５】
本実施の形態は、スムーズなチャンネル切り換えを行う放送受信装置およびスムーズなチャンネル切り換えを行う放送受信装置の制御方法を提供することを目的とする。
【課題を解決するための手段】
【０００６】
上記目的を達成すべく、本発明の一態様の放送受信装置は、表示手段に表示する映像として、視聴用映像または視聴用映像を選択するための選局用映像のいずれかを選択する選択手段と、選択された視聴対象チャンネルのデジタル放送を受信し、視聴用映像を出力するための第１のチューナと、それぞれが所定の選局対象チャンネルのデジタル放送を受信し、選局用映像を出力するための複数の第２のチューナと、視聴対象チャンネルを選択するモードを、視聴用映像をもとに選局する通常選局モード、または、選局用映像をもとに選局する高速選局モード、のいずれかのモードに、切り換える選局モード切換手段と、視聴対象チャンネルをアップ／ダウン選局するためのアップダウンボタンからの指示にもとづき、第１のチューナと複数の第２のチューナと、選局モード切換手段と、選択手段と、を制御する選局制御手段とを具備し、アップダウンボタンが、第１の時間、連続して押圧操作されたときに、通常選局モードから高速選局モードに切り換えし、押圧操作が解除されたときに、選局されたチャンネルの視聴用映像の出力後に、通常選局モードに切り換えるように、選局制御手段が選局モード切換手段を制御する。
【０００７】
また、別の実施の形態の放送受信装置の制御方法は、視聴対象チャンネルのデジタル放送を受信し、視聴用映像を出力するための第１のチューナにより表示手段に表示された視聴用映像をもとに選局する通常選局モードから、それぞれが所定の選局対象チャンネルのデジタル放送を受信し、選局用映像を出力するための複数の第２のチューナにより表示手段に表示された選局用映像をもとに選局する高速選局モードに、視聴対象チャンネルをアップ／ダウン選局するためのアップダウンボタンが、第１の時間、連続して押圧操作されたときに、切り換える第１の選局モード切換工程と、押圧操作が解除されたときに、選局されたチャンネルの視聴用映像の出力後に、通常選局モードに切り換える第２の選局モード切換工程と、を具備する。
【図面の簡単な説明】
【０００８】
【図１】実施の形態のテレビの構成図である。
【図２】実施の形態のテレビの操作に用いるリモコンの外観図である。
【図３】実施の形態のテレビのチャンネル切り換えの処理の流れを説明するためのフローチャートである。
【図４】実施の形態のテレビのチャンネル切り換えの処理の流れを説明するためのタイミングチャートである。
【発明を実施するための形態】
【０００９】
図１に示すように、本発明の実施の形態の放送受信装置であるテレビジョン受信装置（テレビ）１は、接続されたアンテナ５により受信された放送信号を、リモコン３からの操作指示にもとづき、液晶表示装置等の表示手段である表示部４に表示する本体部２を有する。なお、本体部２と表示部４とは、一体化されていてもよい。
【００１０】
本体部２は、チューナユニット１０と、信号処理手段である信号処理部２１と、選択手段である選択部２２と、制御手段である制御部２３と、操作信号受信手段である操作信号受信部２４と、選局制御手段である選局制御部２５と、選局モード切換手段である選局モード切換部２６と、タイムシフト記憶部２７と、を具備する。本体部２には、音声処理部等の、さらに多くの機能ユニットが搭載されているが、説明は省略する。
【００１１】
また、上記構成要素は、独立した物理的な構成要素である必要はなく、例えば、信号処理部２１、選択部２２、選局制御部２５および選局モード切換部２６の少なくともいずれかが、図示しないメモリ等に記憶されているプログラムがマルチＣＰＵユニット等において実行されるものであってもよい。
【００１２】
図２に示すリモコン３を用いて、使用者はテレビ１の操作を行う。例えば、選局操作としては、数字ボタン３Ａを用いた、いわゆるダイレクト選局、または、アップダウンボタン３Ｂを用いたチャンネルを順次シフトしていく、いわゆるアップダウン選局が選択可能である。アップダウンボタン３Ｂはシーソー型のスイッチであり、図中上側に押圧操作されるとチャンネルを昇順に切り換えする操作信号を送信し、下側に押圧操作されるとチャンネルを降順に切り換えする操作信号を送信する。リモコン３から赤外線等により送信された操作信号は、本体部２の操作信号受信部２４により受信され制御部２３に伝送される。
【００１３】
なお、テレビ１では、リモコン３のアップダウンボタン３Ｂは、後述する選局モード切り換えにも使用される。
【００１４】
チューナユニット１０は、それぞれが地上デジタルテレビ放送を受信する、第１のチューナである１つの視聴用チューナ１１と、第２のチューナである８つの選局用チューナ１２〜１９と、を有する。ここで、視聴用チューナ１１は、使用者により選択された視聴対象のチャンネルのデジタル放送（以下、単に「チャンネル」ともいう）を受信し、視聴用映像を出力する。一方、選局用チューナ１２〜１９は、それぞれが所定の選局対象チャンネルのデジタル放送を受信し、使用者が視聴用映像のチャンネルを選局するために表示部４に一時的に表示される選局用映像を出力する。
【００１５】
すなわち、視聴用チューナ１１が出力する視聴用映像は、８つの選局用チューナ１２〜１９のいずれか出力する選局用映像と同じである。なお、視聴用映像と選局用映像とは、いずれも同じレベルの高画質映像であり、表示部４に表示された状態での両者の区別は困難である。
【００１６】
ここで、所定の選局対象チャンネルは、例えば、地上デジタルテレビ放送の８チャンネル全てであり、８つの選局用チューナ１２〜１９は、それぞれが地上デジタルテレビ放送の所定のチャンネルのデジタル放送を受信する。
【００１７】
信号処理部２１はチューナ１１〜１９からの複数の受信信号に対してデコード処理、高画質化処理およびスケーリング処理等を行い、同時に複数のチャンネルの映像信号を出力する。選択部２２は、選局制御部２５の制御により、表示部４に表示する映像として、選局用映像のいずれか、または視聴用映像を選択する。
【００１８】
選局モード切換部２６は、視聴対象チャンネルを選択するモードを、視聴用映像をもとに選局する通常選局モード、または、選局用映像をもとに選局する高速選局モード、のいずれかのモードに、切り換える。通常選局モードでは、視聴用チューナ１１が受信するチャンネルを切り換えるために、映像信号を表示部４に出力するまでに例えば３〜４秒を要する。これに対して、高速選局モードでは選局用チューナ１２〜１９が受信し信号処理部２１から既に出力されている映像を切り換えるだけのために、映像信号を短時間で表示部４に出力することができる。
【００１９】
選局制御部２５は、視聴対象チャンネルをアップ／ダウン選局するためのアップダウンボタン３Ｂからの指示にもとづき、チューナユニット１０（第１のチューナ１１および８つの第２のチューナ１２〜１９）と、選局モード切換部２６と、選択部２２と、を制御する。制御部２３は、テレビ１の全体の制御を行う。
【００２０】
なお、図示しないが、チューナユニット１０には、通常録画用に地上デジタル放送受信チューナおよびＢＳ／１１０度ＣＳ放送受信チューナを各２台ずつ搭載している。また、選局用チューナ１２〜１９が受信した映像は、タイムシフト記憶部２７にも記憶される。すなわち、タイムシフト記憶部２７には所定時間、例えば過去２６時間の地上デジタルテレビ放送の８チャンネル全ての映像が記憶される。タイムシフト記憶部２７に記憶された映像は使用者の指示により表示部４に表示されるため、使用者は２６時間前までの放送済み番組を、いつでもさかのぼって視聴することができる。
【００２１】
テレビ１では、視聴中のチャンネルの番組と放送されている全てのチャンネルの番組とを同時に受信し並行して信号処理することにより、チャンネル選局の切り換え時間を、大幅に改善することができる。すなわち、使用者は、リモコン３のアップダウンボタン３Ｂのアップボタンまたはダウンボタンを押圧操作することで、最大８チャンネルの地上デジタル放送のチャンネル切り換えをスムーズに行うことができる。
【００２２】
さらに、テレビ１では、選局されたチャンネルの視聴用映像の出力後に、選局用映像から視聴用映像に切り換える。すなわち、視聴用チューナ１１が選局されたチャンネルを受信し信号処理部２１が信号処理を完了するまで所定の出力待機時間経過後に映像を切り換える。このため、後述するように、チャンネル切り換えをスムーズに行うことができる。
【００２３】
次に、図３のフローチャートおよび図４のタイミングチャートを用いて、テレビ１のチャンネル切り換え動作について詳細に説明する。
【００２４】
＜ステップＳ１０＞  通常視聴、図４：Ｔ１〜Ｔ２
選局されたチャンネルの視聴用映像が表示部４に表示される。なお、通常の視聴のときには、選局モードは、通常選局モードである。
【００２５】
＜ステップＳ１１〜Ｓ１２＞  通常選局モード
アップダウンボタン３Ｂの、例えば、アップボタン（Ｃｈ  Ｕｐキー）が使用者により押圧操作されると、選局制御部２５は視聴用チューナ１１が受信するチャンネルを昇順に１つ切り換えする。
すなわち、チャンネル番号、０２１、０４１、０５１が順に選局され、８チャンネルのうち最も大きい番号の次は、また０２１に戻り、この順序でのチャンネル切り換えが行われる。
【００２６】
なお、アップダウンボタン３Ｂの、例えば、ダウンボタン（Ｃｈ  Downキー）が使用者により押圧操作された場合については、アップボタン操作と同様であるので、以下において重複する説明は行わない。
【００２７】
＜ステップＳ１３＞  選局モード切り換え、図４：Ｔ２、（切り換え待機時間（第１の時間））
アップダウンボタン３Ｂが、第１の時間、例えば４秒間連続して押圧操作されると（Ｓ１３：Ｙｅｓ）、選局モード切換部２６は、選局モードを高速選局モードに切り換えする。
【００２８】
＜ステップＳ１４＞  Ｍｕｔｅ映像表示、図４：Ｔ２〜Ｔ３
選局モード切り換え時には、チャンネル、すなわち番組が切り換わるために、表示部４に表示する映像が乱れる。このため、所定の時間、例えば全画面がブルーのＭｕｔｅ映像が表示部４に表示される。
なお、Ｍｕｔｅ映像の前後で番組が切り換わる（図４では０２１ｃｈから０４１ｃｈ）ために、Ｍｕｔｅ映像を表示しても使用者が違和感を感じることはない。
【００２９】
＜ステップＳ１５〜Ｓ１７＞  高速選局モード、図４、Ｔ３〜Ｔ４
使用者によるアップボタン（Ｃｈ  Ｕｐキー）押圧操作が解除されるまで（Ｓ１６：Ｙｅｓ）、選局制御部２５は、選局用チューナ１２〜１９が受信したデジタル放送の選局用映像を、例えば０．８秒間隔で、切り換えながら出力するように選択部２２を制御する。
なお、選択部２２は、既に信号処理が完了している映像を選択するだけなので、より高速に選局用映像を切り換えることもできる。しかし、使用者が、それぞれの選局用映像を認識するための時間を確保するために、選択部２２は、０．８秒間隔で切り換えている。このため、選択部２２は、使用者の設定等により、より短い時間、または、より長い時間間隔で選局用映像を切り換えてもよい。
【００３０】
＜ステップＳ１８〜Ｓ１９＞  選局モード切り換え待機（操作待機時間：第２の時間）、図４、Ｔ４〜Ｔ５
使用者は所望のチャンネルの映像を確認すると、押圧操作を解除する（Ｓ１６：Ｙｅｓ）。押圧操作が解除されたときに、選局制御部２５は、所定の操作待機時間（第２の時間）、例えば２秒、経過後に、視聴用チューナ１１が、選局されたチャンネルのデジタル放送を受信開始するように制御する。すなわち、選局制御部２５は、第２の時間だけ、視聴用チューナ１１の制御開始を待機する。操作待機時間の間は、押圧操作が解除されたときに表示されていたチャンネル（図４では、０４１ｃｈ）の選局用映像が表示部４に出力され続ける。
【００３１】
これは、使用者が選局したチャンネルが間違っていたと判断し、再度、押圧操作を行い（Ｓ１９：Ｙｅｓ）、その直後に押圧操作を解除した場合であっても、チャンネル切り換えをスムーズに行うためである。
【００３２】
すなわち、視聴用チューナ１１がチャンネルを切り換えた直後に、さらに別のチャンネルへの切り換え操作が指示された場合には、信号処理部２１は、その時点から視聴用チューナ１１が受信した新チャンネルの放送信号の信号処理を開始する必要があるため、スムーズなチャンネル切り換えを行うことができない。しかし、第２の時間だけ待機することにより、押圧操作の解除／再押圧操作／解除があっても上記問題が発生しない。
【００３３】
＜ステップＳ２０＞  視聴用チューナのチャンネル切り換え、図４、Ｔ５
視聴用チューナ１１が受信するチャンネルが、選択用映像が表示されているチェンネルに切り換えられる。
【００３４】
＜ステップＳ２１＞  視聴用映像出力待機（出力待機時間：第３の時間）、図４、Ｔ５〜Ｔ６
既に説明したように、デジタル放送ではチューナの受信チャンネルが切り換えられても、表示部４に表示する映像が出力されるまでには時間を要する。このため、第３の時間、例えば２秒間、待機する。第３の時間（出力待機時間）の間も、押圧操作が解除されたときに表示されていたチャンネル（図４では０４１ｃｈ）の選局用映像が表示部４に出力され続ける。
なお、上記説明では第２の時間と第３の時間とが同じ２秒であるが、同じである必要はない。
【００３５】
＜ステップＳ２２＞  選択チャンネルの視聴用映像表示、図４、Ｔ６〜
ステップＳ２１において、第３の時間の待機後、すなわち、視聴用チューナ１１が受信したチャンネルの視聴用映像が出力されるのを待って、選択部２２は選局制御部２５の制御により、表示部４に表示する映像を、選局用映像から視聴用映像に切り換える。選局用映像と視聴用映像とは同じチャンネルの放送であるために、Ｍｕｔｅ映像なしに切り換えても問題は生じない。
【００３６】
すなわち、テレビ１では、まず、視聴用チューナ１１のチャンネルを切り換えし（Ｓ２０）、視聴用映像が出力されてから（Ｓ２１）、選局用映像から視聴用映像に切り換える（Ｓ２２）。言い換えれば、表示部４に表示される映像が、選局用映像から、選局用映像と同じチャンネルの視聴用映像に、直接、切り換わる。
【００３７】
これに対して、視聴用映像が出力されるのを待たないで選局用映像から視聴用映像に切り換える場合には、視聴用映像が出力されるまでの間は表示部４に表示される映像が乱れるために、図６、Ｔ６のタイミングで、Ｍｕｔｅ映像を挿入する必要がある。すなわち、選局用映像から視聴用映像に、直接、切り換えることはできない。しかし、Ｍｕｔｅ映像の前後の番組は、図６に示すように、同じチャンネル（４１ｃｈ）の同じ番組である。すなわち、番組の途中に突然、Ｍｕｔｅ映像が挿入された状態となるため、使用者は違和感を感じてしまう。
【００３８】
これに対して、実施の形態のテレビ１は、チャンネル選局の切り換え時間を、大幅に改善することができるだけでなく、さらにスムーズなチャンネル切り換えを行うことができる。また、実施の形態のテレビの制御方法はスムーズなチャンネル切り換えを行うことができる。
【００３９】
本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１…テレビジョン受信機、２…本体部、３…リモコン、３Ａ…数字ボタン、３Ｂ…アップダウンボタン、４…表示部、５…アンテナ、１０…チューナユニット、１１…視聴用チューナ、１２〜１９…選局用チューナ、２１…信号処理部、２２…選択部、２３…制御部、２４…操作信号受信部、２５…選局制御部、２６…選局モード切換部、２７…タイムシフト記憶部
【図１】
2012015763.tif 000003
【図２】
2012015763.tif 000004
【図３】
2012015763.tif 000005
【図４】
2012015763.tif 000006